(57)【特許請求の範囲】
【請求項１】
マグネットロック（２０）であって、
第１ラッチ（３６、５３）および第２ラッチ（３８、５５）は、マグネットロック（２０）に具備され、
前記第１ラッチ（３６、５３）は、少なくとも１個の第１マグネット（４４）を有し、第２ラッチ（３８、５５）は、第２マグネット（４８）を有し、
前記ロック位置にある場合、第１ラッチ（３６、５３）および第２ラッチ（３８、５５）の少なくとも一部分が、ロック要素（２２）用の受入れ孔を閉じるように、第１ラッチ（３６、５３）および第２ラッチ（３８、５５）は、ロック位置とロック解除位置との間で前後に移動可能であり、
前記第１ラッチ（３６，５３）および第２ラッチ（３８、５５）は、第１マグネット（４４）および第２マグネット（４８）によって解除位置からロック位置に移動可能であり、
外部からの磁力によって、第１マグネット（４４）および第２マグネット（４８）は、第１ラッチ（３６、５３）および第２ラッチ（３８、５５）を移動させてロックまたはロック解除するよう構成されている。
【請求項２】
請求項１に記載のマグネットロック（２０）において、
前記第１ラッチ（３６、５３）は２個の第１マグネット（４４、４６）を有し、第２ラッチ（３８、５５）は２個の第２マグネット（４８、５０）を有し、
前記第１マグネット（４４）および第２マグネット（４８）は、相互に力を及ぼす。
【請求項３】
請求項１または２に記載のマグネットロック（２０）において、
当該マグネットロック（２０）が回転するのに対して、ラッチ（３６、５３；３８、５５）は、ロック外形（２７）およびラッチ外形（１２１）によって固定される。
【請求項４】
請求項１ないし３のいずれかに記載のマグネットロック（２０）において、
最上部（２５）に凹部（３４）を有し、下部部材（３２）に先端溝を有し、ラッチ（３６、５３；３８、５５）が当該凹部（３４）に収容される場合、当該ラッチ（３６、５３；３８、５５）が、当該先端溝（３４）に収容される。
【請求項５】
請求項１ないし４のいずれかに記載のマグネットロック（２０）において、
前記第１ラッチ（３６、５３）および／または第２ラッチ（３８、５５）は、非磁性材料で作成されたキャッチ（３６；３８）を備えている。
【請求項６】
請求項１ないし４のいずれかに記載のマグネットロック（２０）において、
前記第１ラッチ（３６、５３）および／または第２ラッチ（３８、５５）は、金属から成るロックプレート（５３；５５）を備えている。
【請求項７】
請求項１ないし６のいずれかに記載のマグネットロック（２０）とロック要素を有するロック装置であって、
前記ロック要素は、ピンヘッド（２８）と、
前記ピンヘッド（２８）の下に周縁ピン溝（４２）と、
前記周縁ピン溝（４２）の下にピンシャフト（８０）を備え、
第１ラッチ（３６、５３）および第２ラッチ（３８、５５）のそれぞれが前記ロック位置にある場合、当該ラッチ（３６、５３）またはラッチ（３６、５３；３８、５５）が外周ピン溝（４２）に係合する。
【請求項８】
請求項１ないし７に記載のマグネットロック（２０）を解錠するマグネットキー（９０）であって、
前記マグネットキー（９０）は、互いに隣り合うように配置された少なくとも２個のキーマグネット（９９、１００、１０２、１０４）を有し、
一方のキーマグネットのＮ極が一方に向き、他のキーマグネットのＮ極が実質的に反対向きになっており、
前記キーマグネット（９９、１００、１０２、１０４）は、ディスク（１３７）上に、回転可能に配置され、
マグネットロック（２０）に備わったロックマグネット（４４、４６、４８、５０）と当該キーマグネット（９９、１００、１０２、１０４）の対極が互いに向かい合うように前記ディスク（１３７）が回転し、ロックマグネット（４４、４６、４８、５０）をロック位置から引き込んで解除するよう構成されている。
【請求項９】
請求項８に記載のマグネットキー（９０）において、
前記キーマグネットが互いに対向する場合、同じ極が上向きになるように配置される４個のキーマグネット（９９、１００、１０２、１０４）を有する。
【請求項１０】
請求項８ないし９のいずれに記載のマグネットキー（９０）において、
マグネットロック（２０）の上側に設けられた凹部（２１０）に係合するマグネットキーの底部側の突出部（１３２）に突起（１３３）を有する。
【請求項１１】
請求項８ないし１０のいずれかに記載のマグネットキー（９０）と請求項１ないし７のいずれかに記載のマグネットロック（２０）の組合せであって、
前記キーマグネット（９９、１００、１０２、１０４）が、ロックマグネット（４４、４６、４８、５０）から離れて間隔をあけるように、ロック解除位置の各キーマグネット（９９、１００、１０２、１０４）は、隣接するロックマグネット（４４、４６、４８、５０）に対して水平オフセット（１２５）を有する。
【請求項１２】
請求項８ないし１０のいずれかに記載のマグネットキー（９０）と請求項１ないし７のいずれかに記載のマグネットロックの組合せであって、
前記ロック解除位置の各キーマグネット（９９、１００、１０２、１０４）は、隣接するロックマグネット（４４、４６、４８、５０）に対して垂直オフセット（２１７）を有する。
【発明の詳細な説明】
【技術分野】
【０００１】
本発明は、ＥＰ１３５５５５０に開示されているように、マグネットロック、マグネットキーおよびマグネットロックとマグネットキーの互換性を持つ組み合わせに関する。
【背景技術】
【０００２】
【特許文献１】ＥＰ１３５５５５０
【発明の開示】
【発明が解決しようとする課題】
【０００３】
本願は、比較的より単純な設計でより使いやすいマグネットロックを提供する。
【課題を解決するための手段】
【０００４】
本願は、ロックプレートを有するキャッチとして設計可能な少なくとも一つのラッチを有する磁気ロックに関する。ロック位置にラッチがある場合、ラッチは、特にピンのように設計されたロック要素用の収容孔を完全に、または、少なくとも部分的に閉じるよう、ロック位置とロック解除位置の間で前後に移動可能な第１マグネットを有する。さらに、第２マグネットがマグネットロック内にあり、第１マグネットおよび第２マグネットは相互に力を及ぼす。それは、永久磁石を利用するよりも好ましい。しかしながら、同一の効力が永久磁石により達成される場合、磁化可能な材料は、マグネットとして用いることも可能である。ラッチは、マグネットと共にこの力をうけてロック位置に都合よく引き入れられる。これは、マグネットロックの小型および安全な設計をもたらす。これは、ラッチまたはキャッチのそれぞれの静的保持と同様に両方の動的な引き寄せに関係している。
【０００５】
マグネットを相互に引きつける代わりに、各々をはね返すように設計することができる。しかしながら、多くの場合、この構成は、より多くの空間を必要とする。
【０００６】
他の実施形態において、第１ラッチおよび第２ラッチ、すなわち、ロックプレートを有する各キャッチは、マグネットロック内に備わっており、第１ラッチは少なくとも１個の第１マグネットを有し、第２ラッチは第２マグネットを有する。ロック位置にある場合、第１ラッチおよび第２ラッチ、またはロックプレートのそれぞれは、ロック要素またはピンのそれぞれに対する受入れ孔を完全または少なくとも一部を閉めるようにロック位置とロック解除位置の間で前後に移動することができる。マグネットロックを開閉するのに極僅かな空間しか必要としないので、この設計は使用するのに特に安全および信頼性が高い。２個のラッチまたはキャッチがある場合、それらはロック位置とロック解除位置の間に線形に前後移動するように設計することができるが、その設計が単一のラッチまたはキャッチを有するだけの場合、それは結合によって回転するように頻繁に設計されている。信頼性が高い動作が保証されることになっている場合、ロックが開位置にあるとき、この回転可能な配置は、ロック要素用の受入れ孔ができる限り明確にされるよう設計する必要がある。さらに、ロックプレートは、ロック要素またはピンのそれぞれを溝の全表面に係合可能である。
【０００７】
第１キャッチおよび第２キャッチは、第１マグネットおよび第２マグネットによってロック位置に都合よく引き込まれる。付加的なばね要素またはゴム要素も可能であるが、これらは良好なロックにとって不可欠ではない。第１ラッチは、２個の第１マグネットを有することもできるが、第２ラッチは、２個の第２マグネットを有し、第１マグネットおよび第２マグネットは、各場合において互いに効力を及ぼす。これは、マグネットロックを扱うための信頼性を高くする。
【０００８】
ロックまたはキャッチのそれぞれは、マグネットロックを自由に回転させることができ、または、それらは、ロック外郭にマグネットロックが相対的に回転するのに対し、固定することもできる。ロック外郭がラッチ外郭に対応して係合する場合、例えば、マグネットロック内で棒形状、および、ラッチ外郭としてのラッチ外郭またはキャッチ外郭である。
【０００９】
一実施形態において、その応用は、最上部に円錐凹部を有する。下部部材に先端溝があり、ラッチが、例えば凹部に収容され、外力によって円錐凹部に対して移動するとき、ラッチが先端溝に収容される。先端溝がラッチの開口に反対に作用するので、これはマグネットロックが操作されるのを防止する。
【００１０】
ラッチは、マグネットだけが互いに引き寄せ合い、キャッチは引き寄せないことを確実にする非磁性材料でできたキャッチ有することができる。例えば強いマグネットについては、これは、マグネットロックの信頼性を高め、外側から解錠されるのを防止する。
【００１１】
ラッチは、金属を有するロックプレートを備えることができる。キャッチとの連動において、キャッチは、軽い材料でできていることを必要とするだけであるが、受入れ孔を閉じるロックプレートは、例えば安定金属できている。
【００１２】
装置には、以下も具備されている。円錐形のピンヘッドを有する係止要素またはピン、ピンヘッドの下の外周ピン溝、外周ピン溝の下にピンシャフトを有するマグネットロックに備わったロック装置。ロック位置において、ラッチまたはそれぞれのラッチが係合またはそれぞれ係合する外周ピン溝。
【００１３】
ロックを開くために、マグネットキーは、キーマグネットのＮ極が上向きで、他のキーマグネットのＮ極が下向きとなるように、平面に配置される少なくとも２個のマグネットを有する。この特徴は、キーマグネットが、キャッチを開位置に引き込むロックマグネットの間に作用する力に打ち勝つのに必要な条件から起因する。より一般的な形態において、キーマグネットのＮ極が一方に向き、他のキーマグネットのＮ極が実質的に他の方向に向くように、キーマグネットは、互いに隣合って配置されている。したがって、用語「上部」および「下部」は「平面配置」と同様に考えられる他の設計にも直接適用することはできない。
【００１４】
中心点に対して互いに対向するキーマグネットの同じ極が、常に上向きになるように、平面の中心点周り配置される４個のキーマグネットを備えることもできる。この方法で設計されたキャッチは、それに応じて複雑な棒の配置を有さない外部キーを利用して開くことを困難または不可能にするので、特に安全である。正しい設計のマグネットキーだけが、これらのラッチまたはそれぞれキャッチを開くことができる。
【００１５】
回転軸周りに回転可能なディスク上にキーマグネットを配置することにより、開放する間の位置合わせが、より容易にされる。
【００１６】
マグネットロックの最上部の上側に備わった凹部に係合するマグネットキーの底部側の突き出た部分に、突起または段部を備えることができる。マグネットキーをマグネットクロック上に配置する場合、この配置をより容易にする。
【００１７】
最後に、当該装置は、以下も含む：マグネットキーおよびマグネットロックの組み合わせであって、キーマグネットが、ロックマグネットよりも離れて位置するように、ロック解除位置にある場合、隣り合うロックマグネットに対し、各マグネットキーは水平オフセットを有し、それによってロックが確実に開放可能にされる。ロック解除位置の各キーマグネットが、隣接するロックマグネットに対して垂直オフセットされる場合、同じ結果を生じる。
【図面の簡単な説明】
【００１８】
【図１】本発明の第１実施形態のロック位置におけるマグネットロックの横断面図である。
【図２】図１におけるマグネットロックの平面側からの断面図である。
【図３】複数個のマグネットを適用した場合の図１および図２におけるマグネットロックの横断面図である。
【図４】前記各図においてロック解除位置にあるマグネットロックの横断面図である。
【図５】図４におけるマグネットロックの平面図である。
【図６】マグネットロック用のマグネットキーの平面図である。
【図７】図６に対応するマグネットキーの横断面図である。
【図８】前記各図におけるロック解除位置のピンと同様に、マグネットロックおよびマグネットキーの横断面図である。
【図９】他の実施例におけるマグネットロックの横断面図である。
【図１０】図９におけるマグネットロックの頂部の横断面図である。
【図１１】図９および図１０において、下方から目視したマグネットロックの最上部の図である。
【図１２】図９のマグネットロックの一部分を示す図である。
【図１３】図９におけるマグネットロックの底部の断面図である。
【図１４】図９の横断面図の一部分を示す図である。
【図１５】図１４の横断面図の一部を示す図である。
【図１６】図９におけるマグネットロックのピンの側面図である。
【図１７】図１６の十角形のピンの断面を示す図である。
【図１８】他の実施形態のマグネットロックを下方から目視した最上部を示す図である。
【図１９】図１８の最上部の横断面図である。
【図２０】図１８の最上部の他の横断面を示す図である。
【図２１】係合状態のマグネットキャッチを示す図である。
【図２２】ロック解除状態のマグネットキャッチを示す図である。
【図２３】ロックプレートの平面図である。
【図２４】図２３のロックプレートの横断面図である。
【図２５】他の実施形態のマグネットロックの頂部ハウジング一部を示す図である。
【図２６】図２５の頂部ハウジング部分の横断面図である。
【図２７】他の実施例におけるマグネットロックの斜視図である。
【図２８】図２７のマグネットロックの横断面を示す図である。
【図２９】図２８のマグネットロックの横断面を示す図である。
【図３０】他の頂部の横断面を示す図である。
【図３１】マグネットロックの最上部の字体の平面図である。
【発明を実施するための最良の形態】
【００１９】
詳細は、本発明の実施例を記載するために、図面の説明に従って示されている。しかしながら、当該実施例は、これらの詳細なしに設計可能なことは、当業者にとって自明であるべきである。
【００２０】
図１ないし図５は、別の視点から見たマグネットロックの第１実施例を示す。
【００２１】
図１は、ロック位置にあるマグネットロック２０を側面視した横断面を示す。マグネットロック２０は、ピン２２、ハウジング２４およびハウジング２４内に他の構成要素を備えている。ハウジング２４は、当該ハウジング２４の下限に円形開口２６を有する。ピン２２のピンヘッド２８は、ピン２２をハウジング２４に係止するために、開口２６に嵌入される。ピン２２は、図３において最も見やすく示されている。上から下までにピン２２は、ピンヘッド２８、外周ピン溝４２、ピンシャフト８０およびピンフット８２を有する。一定の直径を有する真っ直ぐなシリンダとして設計されるピンシャフト８０は、外周ピン溝４２をピンフット８２に接続している。ピンフット８２は、薄くて大きな円形プレート状に設計される。ピンヘッド２８、外周ピン溝４２、ピンシャフト８０およびピンフット８２は、それらの縦軸がハウジング２４の縦軸３０と一致するように軸方向に整列配置されている。ピンフット８２と下部部材３２の間に、強制するためにバンデージストラップ３９に固定される鳩目４１を有するバンデージストラップ３９がある。バンデージストラップ３９および鳩目４１は、ピンフットと下部部材３２の間に固定される。鳩目４１は、ピンシャフト８０を囲う。この配置は、個々に保持するために用いられる（図示しない）。
【００２２】
ハウジング２４は、ハウジング２４の下限の方向に開いて設計にされる円筒状の最上部２５を有する。上部にある最上部２５の壁に、特に図３および図４において見やすい円錐またはテーパー状の凹部３４または座部がある。ハウジング２４も、最上部２５の底端部を封止する下部部材３２を備えている。下部部材３２および最上部２５は、マグネットロック２０の他の構成要素を内部に含むキャビティを形成する。開口２６は、下部部材３２の中央にあって、下部部材３２を通って延びる。開口２６およびピン２２は、ハウジング２４の縦軸３０に対して軸方向に整列配置される。
【００２３】
最上部２５に嵌入される下部部材３２は、外周棚水平棚突起３３を有する堅牢な円柱形を有する。先端溝３５は、ロックプレート５３、５５に対向する下部部材３２の最上部側に切り込まれている。先端溝３５は、中心点としての縦軸３０を有する環状に形成されており、内側から外側に向かって深くなっている。最上部２５の開口に嵌入される下部部材３２は、最上部２５を十分に封止する大きさである。最上部２５の最上壁と下部部材３２との間でキャビティは、切断されている。キャビティの高さは、円錐台ピンヘッド２８およびピン溝４２の高さよりわずかに高い。ハウジング２の２つの部分２５，３２は確りと接続され、ハウジング２４の縦軸３０に沿って軸方向に位置合わせされるように、下部部材３２は、最上部２５に接着される。
【００２４】
２個のマグネットキャッチ３６、３８は、最上部２５と下部部材３２の間のキャビティに内に設けられている。２個のマグネットキャッチ３６、３８は、半月と類似の同一形状を有する。マグネットキャッチの形状は、図１のＡ−Ａ矢視断面図である図２で最も見やすい。２個のマグネットキャッチ３６、３８は、下部部材３２の内側平面２０１上で移動可能である。半月状の領域の前端面５８、６０、６６、６８は、各々に当接する。図２において、左側マグネットキャッチ３６が下部部材３２の左側に配置されるのに対し、右側マグネットキャッチ３８は下部部材３２の右側に配置される。したがって、左側マグネットキャッチ３６および右側マグネットキャッチ３８は、ハウジング２４の縦軸３０を挟んで対称に配置される。マグネットキャッチ３６、３８は、下部部材３２に移動可能である。最上部２５のガイドバー２７は、マグネットキャッチ３６、３８の外周の切り欠き２０２に係合し、マグネットキャッチがマグネットロック２０の軸３０のまわりを回転しないようにする。ガイドバー２７は、特に図１８ないし図２０において見やすく、外周の切り欠き２０２は、特に図２１において見やすい。
【００２５】
２個のマグネットキャッチ３６、３８の最上端は、互いに接触するが、それらの底端部に間隙２００を有する。この間隙２００は、図１で分かるように、逆Ｖ字状の側面を有する。マグネットキャッチ３６、３８のさらなる詳細は、特に図２において見やすい。マグネットキャッチ３６、３８の各々は、２個のマグネットと１枚のロックプレートを有する。全部で４個のマグネットは、フェライト磁石またはネオジウム磁石である。左側マグネットキャッチ３６は、左側ロックプレート５３の上に、２個のマグネット４４、４６を有する。右側マグネットキャッチ３８は、右側ロックプレート５５の上に、２個の他のマグネット４８、５０を有する。
【００２６】
円錐台として設計されるピンヘッド２８を有するピン２２の構造は、特に図１において見やすい。ピン２２のピン直径と比較して、ピン２２の先端は小径である。ピンヘッド２８の下方に配備されるピン２２の周りに、外周ピン溝４２がピン２２のまわりに形成されている。ロックプレート５３、５５の上に２個のマグネットキャッチ３６、３８の部分は、ピン２２の外周ピン溝４２に当接する。マグネットロック２０の部分が識別できるように、図２は、図１のＡ−Ａ矢視断面である平面図を示す。当該平面図において、ハウジング２４は、円形の輪郭を有する。ハウジング２４において、垂直軸５２と水平軸５４の２本が、ハウジング２４の中央で互いに直交するように描かれている。したがって、縦軸３０の投影は、垂直軸５２と水平軸５４の交点と一致する。ハウジング２４の円筒壁２０３は、ピン２２のピンヘッド２８と同様に、両方のマグネットキャッチ３６、３８を囲む。ハウジング２４の中央の２つの同心円は、ピン２２の円錐台のピンヘッド２８を示す。２個のマグネットキャッチ３６、３８は、外周ピン溝４２でピン２２に近接配置される。左側マグネットキャッチ３６は、左側ロックプレート５３と当該左側ロックプレート５３上に２個の円形マグネット４４，４６、すなわち、左側の上部に上部ロックマグネット４４と底部ロックマグネット４６を有する。左側上部ロックマグネット４４と左側底部ロックマグネット４６は、半月形左側ロックプレート５２の対向端または左側マグネットキャッチ３６のそれぞれの対向端で水平軸５４を挟んで対称形に配備される。左側上部ロックマグネット４４のＮ極および左側底部ロックマグネット４６のＳ極は、上向きである。マグネットキャッチ３６の左側で、左側マグネットキャッチ３６は、部分的円形の外縁部５６を有する。外縁部５６は、最上部２５の内壁２０５と嵌合する。左側マグネットキャッチ３６の右側に、２本の短辺である左直線端面５８、６０が配置される。左側マグネットキャッチ３６の中央部分である右側に、半円形エッジ６２が２本の直線端面５８、６０と互いに接続するように形成されている。左直線端面５８、６０の２本の短辺は、上部の左直線端面５８と底部の左直線端面６０によって形成されている。２本の左直線端面５８、６０は、水平軸５４を挟んで対称形に配置される。
【００２７】
右側マグネットキャッチ３８は、左側マグネットキャッチ３６と同一構造である。右側マグネットキャッチ３８は、右側ロックプレート５５と右側安定板５４の上部と底部に２個の円形マグネット４８，５０、すなわち、右側の上部に上部のロックマグネット４８と底部のロックマグネット５０を有する。２個の円形マグネット４８，５０は、半月形右側のマグネットキャッチ３８の対向端で水平軸５４を挟んで対称形に配置されている。右側上部のロックマグネット４８のＳ極および右側底部のロックマグネット５０のＮ極は、上向きである。
【００２８】
マグネットキャッチ３８の右側で右側マグネットキャッチ３８は、部分的な円形６４の外縁部を有する。外縁部６４は、ハウジング２４の内壁２０５と嵌合する。右側マグネットキャッチ３８の左側に、２本の短辺である右直線端面５０、６８が配置される。右側マグネットキャッチ３８の中央部分である左側に、半円形エッジ７０が２本の短辺である直線端面６６、６８と互いに接続するように形成されている。右直線端面６６、６８の２本の短辺は、上部の右直線端面６６と底部の右直線端面６８によって形成されている。２本の右直線端面６６、６８は、水平軸５４を挟んで対称形に配置される。
【００２９】
図２に示すように、上部の左直線端面５８は、上部の右直線端面６６と係止位置で接触し、底部の左直線端面６０は、垂直軸５２に沿って右直線端面６８と接触する。さらに、図２において、マグネットロック２０がロック位置にある場合、左側の半円形エッジ６２および右側の半円形エッジ７０は、ピンヘッド２８に非常に接近している。左右のマグネットキャッチ３６、３８の間に形成される円筒形孔は、ピンヘッド２８よりいくらか大きい直径を有する。
【００３０】
回転矢印４３は、力が右側上のバンデージストラップ３９の上向きに作用するときに生じる力の流れ４３を示す。下部部材３２は、右側のロックプレート５５とピンヘッド２８の間の間隙を閉めるために、上方へ押される。力の流れ４３は、それから下部部材３２、右側のロックプレート５５、ピンヘッド２８、ピンシャフト８０、ピンフット８２および鳩目４１を介してバンデージストラップ３９から作用する。最上部２５およびマグネットキャッチ３６、３８は、力の流れの範囲内にない。マグネットキーの配置より容易にするために、ハウジング２４の外側の最上端に付加的なマーキングを他の実施例に基づいて図２に示すように任意に設けることができる。４個のマーキング７２、７４、７６、７８は、上側マーキング７２、左側マーキング７４、下側マーキング７６および右側マーキング７８である。上側マーキング７２および下側マーキング７６は塗り潰されており、それらは垂直軸５２に沿って配置される。塗り潰しは、左側マーキング７４および右側マーキング７８から省かれており、それらは水平軸５４に沿って配置される。全部で４個のマーキング７２、７４、７６、７８は、ハウジング２４の外縁部の近くに配置されている。
【００３１】
図３は、マグネットロック２０の側面図を示す。図３において、マグネットロック２０は真っ直ぐに示されており、ハウジング２４がピン２２の最上端に配置されている。左右のマグネットキャッチ３６、３８は、ピン２２の外周ピン溝４２にロックプレート５３，５５を介して係合されており、マグネットロック２０がピン２２から外れるのを防止する。
【００３２】
強いマグネット８４は、ハウジング２４の上部平面２０７に配置される。マグネット８４が十分に強い場合、マグネットキャッチ３６、３８のマグネット４４、４６、４８、５０は、マグネット８４に引き寄せられる。２個のマグネットキャッチ３６、３８は、この磁力の引き寄せによって円錐凹部３４に対して押し上げられる。それらの接触端１５０は、特に図１および図２において特に見やすくなっている。マグネットキャッチ３６、３８の底端部は、いくらか所望のマグネット８４の影響を受けて互いに接近する。これにより、図１に示されるマグネットキャッチ３６、３８の間のＶ型の間隙２００は、閉まる。ロックプレート５３、５５の底部側およびマグネットキャッチ３６、３８の底部外縁は、先端溝３５に押圧される。マグネットキャッチが前後にマグネット８４を移動することによってこの状態で位置を変えられる場合でも、いずれかのマグネットによる解錠は、防止される。先端溝３５の外縁部は、すなわち、マグネットキャッチ３６、３８およびロックプレート５３、５５が更に互いに分離するのを機械的に阻止する。ピン２２が開口２６から引き抜くことができないように、外周ピン溝４２のロックプレート５３、５５は、ピンシャフト８０と円錐台のピンヘッド２８に囲まれたままである。
【００３３】
図４および図５は、ロック解除位置のマグネットロック２０を示す。マグネットキャッチ３６、３８がハウジング２４の内壁２０５に位置するまで、図示しないマグネットキー９０の磁力が、互いに離れるようにマグネットキャッチ３６、３８を引き寄せるので、２個のマグネットキャッチ３６，３８は、さらに離れた空間にある。これは、マグネットキー９０を示す図８において見やすくなっている。図４、５に示すように、ピン２２がハウジング２４の開口２６の外側に引き抜かれるように、ロックプレート５３、５５の左内側の半円形エッジ６３と右内側の半円形エッジ７１は、外周ピン溝４２から引き抜かれる。
【００３４】
図６および図７は、図４および５に基づくマグネットロック２０に配置されるマグネットキー９０の第１実施例を示す。図６は、マグネットロック２０のマグネットキー９０の底面の平面図を示す。マグネットキー９０は、実質的に円柱状本体９２を備えている。マグネットキー９０も、手動で握持するための外形２０８および平坦な底面９６を有するカバー９４を備えている。底面９６の環状縁部９８は、下方に向いている。環状壁９８の内径は、ハウジング２４の外径よりわずかに大きい。平坦な底面９６は、軸５２、５４を挟んで対称形の４つの等しい領域に分けられるよう、垂直軸５２および水平軸５４は、平坦なカバー面９４の中央で交差する。
【００３５】
４個の円形マグネット９９、１００、１０２、１０４は、マグネットキー９０の縦軸周りに円周上に等間隔に配備されている。マグネットキー９０の縦軸は、ハウジング２４の縦軸３０と一致する。全部で４個の円形マグネット９９、１００、１０２、１０４は、希土酸化物磁石またはネオジウム磁石または硬いフェライト磁石である。４個の円形マグネット９９、１００、１０２、１０４は、マグネットキー９０の範囲内で固定される。これら円形マグネット９９、１００、１０２、１０４の位置および配置は、図６ないし図８に示される。リング形状内で互いに隣接する一対のマグネットは、９０度の角度αの中間にある。
【００３６】
図６に示すように、２個の上部円形マグネット９９、１０４は、水平軸５４を挟んで２個の底部円形マグネット１００、１０２と対称形に配置されている。２個の左側円形マグネット９９、１００は、垂直軸５２を挟んで右側円形マグネット１０２、１０４と対称形に配置されている。２個の斜めに対向する円形マグネットが同じ上向きに両極性を有するよう、４個の円形マグネット９９、１００、１０２、１０４は整列配置される。図６の配置において、左側のＳ極の底部キーマグネット１００および右側で上部キーマグネット１０４は上向きで、右側のＮ極の底部キーマグネット１０２および左側の上部キーマグネット９９は上向きである。
【００３７】
マグネットキー９０のオリエンテーションマーク１０６、１０８、１１０、１１２は、リング形状の内側で互いに隣接するマグネット間に分配される。４個のオリエンテーションマーク１０６、１０８、１１０、１１２は、４個の円形マグネット９９、１００、１０２、１０４の間に均一に分配される。特に、水平軸５４または垂直軸５２のそれぞれに沿ったマーク９９、１００、１０２、１０４は、マグネットキー９０の外縁部の近くに分配される。４個の円形マグネット９９、１００、１０２、１０４は、マグネットキー９０の内側で表から見えない。
【００３８】
図７の断面図において、マグネットキー９０の底面９６に配置される２個の円形マグネット１００、１０２は、側面から見ることができる。さらにまた、手動でマグネットキー９０を握持するための外形２０８も示されている。
【００３９】
図８は、断面図である図７からマグネットキー９０とともに、ロック解除位置にある図４ないし図５に応じたマグネットロック２０の側面図を示す。
【００４０】
エッジ９８を収納するように、マグネットロック２０は、マグネットキー９０の下に直接配置される。マグネットキー９０上のマーク１０６、１０８、１１０、１１２は、マグネットロック２０上のマークキング７２、７４、７６、７８に合わせるために、図示して設けられている。マグネットロックの２個の底部円形マグネット４６、５０だけが、図８に見える。さらにまた、図８は、マグネットロック２０の円形マグネット１００、１０２がロック解除位置にある場合、マグネットロック２０の円形マグネット４６、５０よりも互いに離れていることを示す。これは、常に開位置にマグネットキャッチ３６を確実に引き寄せる。マグネット１００、４６およびマグネット１０２、５０の両側で対向する両極性により、引力が、マグネット１００、４６とマグネット１０２、５０の間に作用する。自由に移動可能に配置されたマグネットキャッチ３６、３８は、これにより引き離される。マグネットキャッチ３６のロックプレート５３、５５が互いに離れ、ピン２２の外周ピン溝４２に引き抜かれるように、マグネットキャッチ３６、３８がそれによってピン２２から離れる。ロックプレート５３、５５が、外周ピン溝４２から離れる場合、ハウジング２４の開口２６からピン２２を引き抜くことができる。
【００４１】
マグネットロック２０は、ハウジング２４と下部部分３２に対して接続および切り離しするための簡単なロック装置を作成する。マグネットロック２０は、極めて少ない部品を備えている。したがって、マグネットロック２０およびマグネットキー９０は、容易に設計および製造を可能にする。
【００４２】
マグネットロック２０の外形と内側の組み合わせの条件が、概して１００分の１ミリメートルの許容範囲内にある。これらの許容誤差は、経済的な射出成形部品で満たすことができる。したがって、多数個のマグネットロックを量産するためのコストは、抑えることができる。
【００４３】
マグネットロック２０は、何ら高価な構成要素を必要としない。例えば、マグネットロック２０の円形マグネット４４、４６、４８、５０は、希土酸化物フェライト磁石として設計されることができる。マグネットロックのハウジング２４の円形マグネット４４、４６、４８、５０は、フェライトまたはアルニコ磁石でもあってもよく、それも経済的な効果がある。最上部２５、下部部材３２、マグネットキャッチ３６、３８およびピン２２は、ポリスチレン、ＡＢＳまたはアクリロニトリル−ブタジエン−スチレン、ポリアミド、ポリプロピレン、ポリエチレンおよびポリ塩化ビニルまたはＰＶＣなどのような熱可塑性材料の通常の射出成形によって、経済的に製造することができる。ピンは、鋼または他の金属から製造することもできる。
【００４４】
マグネットロック２０およびマグネットキー９０のマグネットは、金属磁性素子、複合物および希土酸化物磁石を有することもできる。マグネットのための適切な複合磁石は、例えばセラミック磁石、フェライト磁石、アルニコ磁石、ｔｉｃｏｎａｌ磁石、ネオジム・鉄・ホウ素磁石、人工樹脂系射出成形磁石、可撓性人工樹脂または結合剤系磁石などである。マグネットロック２０およびマグネットキー９０の個々の構成要素が、磁化されて作成することもできるし、または、所望の機能を達成するために、予め定められた磁気パターンに対応する永久磁石から構成することもできる。
【００４５】
マグネットロック２０は、強力で信頼性が高い。振動または不適切な取扱いによってマグネットロック２０が破壊されることがない。これれは、マグネットロック２０を広い用途で利用することを可能にする。例えば、衣類およびサドルバッグの部材のための建築業者の安全装置または安全ラベルとして、安全なバンデージシステムに用いることができる。
【００４６】
マグネットロック２０は、他の用途にも容易に組み込むことができる。例えば、マグネットロック２０のハウジング２４は、チャイルドロックを有するドアになくてはならない部分である。マグネットロック２０のピン２２は、ドアフレームに装着することができる。マグネットロック２０を有する装置は、当該マグネットロック２０を利用する統合化されたロック機能がとともに製造することができる。
【００４７】
ハウジング２４およびマグネットキー９０上のマーク７２、７４、７６、７８、１０６、１０８、１１０、１１２は、解錠を容易にする。マグネットロック２０を使用するとき、マーク７２、７４、７６、７８、１０６、１０８、１１０、１１２は、ユーザを誘導する。マーク７２、７４、７６、７８、１０６、１０８、１１０、１１２は、マグネットロック２０およびマグネットキー９０の装飾の一部として使うこともできる。
【００４８】
マグネットロック２０は、利用するのに外部からのエネルギーの供給を必要としない。例えば、電力が消耗される場合、マグネットロック２０は、別料金がかかったり、動作不全を生じさせたり電池の使用を必要としない。マグネットロック２０は、単独で利用することができる閉鎖系である。
【００４９】
あるいは、ハウジング２４は、例えば立方体のような異なる形状を有することもできる。ハウジング２４が矩形のカバー面を有する場合、カバー面に合うマグネットキーは、マグネットロック２０を容易に解錠することができる。マグネットロック２０の形状は、マグネットロック２０にマグネットキー９０を正しく位置合わせるのを容易にする。マグネットキー９０の形状は、マグネットロック２０と嵌合する形状にすることも可能である。
【００５０】
他の変形例によれば、外周ピン溝４２は、マグネットキャッチ３６、３８に合う異なる形状にすることもできる。２個のマグネットキャッチ３６、３８の代わりに、例えば開口２６がハウジング２４の側壁の近くに設けられる場合に、個々のマグネットキャッチを設けることもできる。
【００５１】
ピン２２が、マグネットキャッチ３６、３８によってブロック可能な異なる形状にすることもできる。例えば、ピン２２は、矩形の横断面、三角形横断面、多角形または異なる形状を有することができる。開口２６は、ピンを収納するのに遊びを持たせることもできる。
【００５２】
マグネットロック２０のハウジング２４は、マグネットキャッチ３６、３８を外部の振動、腐食、放射線などから保護する。マグネットロック２０のハウジング２４は、長い距離におよんで落とすことがあった場合でも、内部マグネットキャッチ３６、３８は、破損したり、傷ついたりすることから守られる。
【００５３】
マグネットロック２０の円形マグネット４４、４６、４８、５０は、マグネットロック２０を開閉するための起動力を与える。外部マグネットがない場合、円形マグネット４４、４６、４８、５０は、図２に示すロック位置にマグネットキャッチ３６、３８が到達し、ピンを固定するまで互いの方に移動するよう、当該マグネットキャッチ３６、３８を引き寄せる。
【００５４】
マグネットロック２０のハウジング２４内の円形マグネット４４、４６、４８、５０は、マグネットキー９０の円形マグネットより磁力の弱いマグネットである。図８に示すように、マグネットキー９０が位置する場合、マグネットキャッチ３６、３８が互いに反発して解除位置に互いに引き込まれるように、ハウジング２４内の円形マグネット４４、４６、４８、５０は、マグネットキー９０のマグネット９９、１００、１０２、１０４に向けて引き寄せられる。これによれ、マグネットキャッチ３６、３８は、ハウジング２４の円筒状内壁２０５に向けて移動する。
【００５５】
ピン２２の円錐台のピンヘッド２８は、ピン２２をマグネットロック２０のハウジング２４に導くのをより容易にする。ピン２２の先端が開口２６および接触キャッチ３６、３８間の孔より小さい直径を有するので、ピン２２は、開口２６およびこの孔を介して容易に押し込まれることを可能にする。
【００５６】
２個のロックプレート５３、５５が、外周ピン溝４２に挿入された場合、ロックプレート５３、５５が、ハウジング２４の外側に外れるのを抑制するよう、マグネットキャッチ３６、３８のロックプレート５３、５５をピン２２の外周ピン溝４２に相互に作用させる。
【００５７】
マグネットロックを生産する方法は、以下の工程を含む：ステップのいくらかの順序は、変えることができる。第１ステップにおいて、ハウジング２４は、設けられている。第２ステップにおいて、マグネットキャッチ３６、３８は、マグネット４４、４６、４８、５０およびロックプレート５３、５５をハウジング２４にもたらす。第３ステップにおいて、ハウジング２４のマグネットキャッチ３６、３８は、下部部材３２で覆われている。第３ステップにおいて、ピン２２を設けることができる。他にも、マグネットロック２０、ピン２２または両方とも、閉じる目的のために固定できる。マグネットロックを生産する方法は、正確な手順が機械類なしに達成可能にするので、成し遂げやすい。
【００５８】
マグネットロック２０を係止する方法は、ピン２２を開口２６に導くことが必要である。マグネットロック２０を解除する一つの方法は、ピン２２がマグネットロック２０から取り外すことが可能なように、所定位置に基づいてマグネットキー９０をマグネットロック２０に接触するように導く必要である。ロックおよび解除する方法は、外部のエネルギーおよび複雑な装置が必要とされないので、実行するのが容易である。
【００５９】
マグネットロック９０は、上述の円形マグネット９９、１００、１０２、１０４を利用した回転ディスクを有することができ、マグネットロックが近づくと、マグネットロック２０の円形マグネット４４，４６、４８、５０の分極性によって軸方向への磁力に基づいて、それぞれが整列配置する。同様に、他の実施例は、マグネットキャッチ３６、３８、の円形マグネット４４、４６、４８、５０の分極性は、円形マグネット９９、１００、１０２、１０４を有するマグネットキー９０の接近で自由に回転しつつ位置合わせ可能なように、ガイドバー２７なしに最上部２５を有することができる。それは、マグネットキャッチ３６、３８を導くために下部部材２５上に、または、マグネットキャッチ３６、３８上にガイドバーを位置させて対向する外形に係合する。
【００６０】
図９ないし図１７は、他の実施例に記載のマグネットロック２０を示す。図９のマグネットロック２０の多数の部分は、先に述べた図のマグネットロック２０に対応している。対応するパーツは、アポストロフィを付している。キャッチは、これらの図において無視される。
【００６１】
図９のピンシャフト８０は、図１６に完全に示されている。ピン溝４２’の下で、ピンシャフト８０’は、ピンヘッド２８’の直径に対応する直径を有する円柱部分１１８を有する。円柱断面１１８の下に、ピンシャフト８０’は、円柱部分の直径よりもいくらか大きい直径を有する十角形部分１１５を有し、ピンシャフト８０’は、下部円柱部分を有する。底部円柱８２は、底部円柱断面に隣接する。底部円筒断面は、可変半径を有する。ピン２２’のさらなる構造は、図８からのピンの構造に基づく。
【００６２】
図８に示されるハウジング２４’の下部部材３２’は、ピン２２’を導くための開口２６’を有する。開口２６’は、円筒断面１１７を有し、当該円筒断面１１７の下に十角形の断面１１６を有する。ピンシャフト８０’の円柱断面１１８は、開口２６’の円筒断面１１７に適合させてある。同様に、ピンシャフト８０’の十角形の断面１１５は、開口２６’の十角形の断面１１６と適合させてある。キャッチ３６、３８が、接続された下部部材３２’または最上部２５’の速い回転によってピンシャフト８０’に対して回転および遠心力によって引き離されることがないように、十角形の凹部１１６を有する十角形の断面１１５の閉環は、ピンシャフト８０’に対して下部部材３２’が回転するのを防止する。
【００６３】
図１の実施例とは対照的に、最上部２５’は、ガイドバーおよび屋根形の凹部を有しない。さらにまた、下部部材３２’は、先端溝を有しない。
【００６４】
図１０は、図９における最上部２５’の横断面を示す。図１０は、図９に示すようにピンヘッド２８’が確実に収納されるように、当該ヘッドピン２８’に嵌合するガイドカラー４０を示す。さらに、ガイドカラー４０’の底面に半径２１０がある。最上部２５部’の下方壁２０５に周縁面取り２０９がされている。
【００６５】
図１１は、ガイドカラー４０’、半径２１０、周縁面取り２０９を下方から見た最上部２５’の図である。
【００６６】
図１２は、下方から図９および図１０における下部部材３２’のＢ−Ｂ矢視断面である。下部部材３２’は上部分に円柱状の開口１１７を有し、底部分に正十角形の開口１１６が点線で描画されている。
【００６７】
図１３は、図９における下部部分３２’の横断面を示している。底部分の十角形の開口１１６および上部の円形開口１１７が側面視される。
【００６８】
図１４および図１５は、図１３における下部部材３２’の断面およびピンシャフト８０’が下部部材３２’に嵌合された状態を示す。図１４および図１５から分かるように、ピンシャフト８０’と下部部材３２’の円形開口１１７との間隙１１９が、ピンシャフト８０’が、軸３０に対して僅かに傾くことができるように、狭く設定されている。ロックプレート５３、５５が、外周ピン溝４２内で傾くことができないように、当該間隙１１９は、先端部分からキャッチ３６、３８を保持し続ける。これは、マグネットキーを利用してマグネットロック２０を開くことをより容易にする。
【００６９】
図１６および図１７は、図９ないし図１５の例示的な実施形態に基づくピンシャフト８０’を示す。図１６は、ピン２２’の側面図を示す。ピンシャフト８０’は、その先端に円柱部分１１８を有する。ピンシャフト８０’は、円柱部分１１８に近接する十角形の横断面を有する十角形の断面１１７を有する。ピンシャフト８０’は、十角形部分の下にピンフット８２’に移行する円柱を有する。図１７は、図１６の十角形部分１１５の形状を例示するＦ−Ｆ矢視断面におけるピン２２’の横断面を示す。
【００７０】
図１８ないし図２０は、他の実施例に基づく最上部２５”を示す。ガイドバー２７”は、最上部２５”の底面側から取り付けられる。このガイドバー２７”は、キャッチ３６、３８が、マグネットロック２０の軸３０のまわりを回転するのを防止する。ガイドバー２７”は、図１８の平面図に示される。ガイドバー２７”は、水平軸５４に沿って伸びており、ガイドカラー４０によって遮られている。これは、側面視したガイドバー２７”を示す図２０の断面図に示すこともできる。
【００７１】
図１９は、最上部２５”のＤ−Ｄ矢視断面図を示す。ガイドバー２７”の横断面は、点線によって示される。視線の範囲で、ガイドバー２７”は、図１８のＣ−Ｃ横断線の前後にある。
【００７２】
図２１および図２２は、第１実施形態におけるキャッチ３６、３８の平面図を示す。図２１において、キャッチは、ロック位置に示される。図２１も、キャッチ３６、３８上の点線において描画される外形１２１が示されている。この外形１２１は、上記の図２においても、識別可能である。外形１２１は、キャッチ３６、３８の上の外側に位置する高い部分１２２によって形成される。高い部分１２２は、ガイドバー２７が係合可能な切り取りまたはノッチ２０２をそれぞれに含む。
【００７３】
図２２において、キャッチ３６、３８は、ロック解除位置に示される。点線は、ロック解除位置２１６およびロック位置２１５のキャッチ３６、３８の円形マグネット４４、４６、４８、５０の位置を示す。キーマグネット９９、１００、１０２、１０４の位置は、実線によって示される。キーマグネット９９、１００、１０２、１０４の中心点は、マグネットロックの円形磁マグネット４、４６，４８、５０の中心点よりも対称軸２５から水平オフセット１２５によって遠くなっている。加えて、キーマグネット９９、１００、１０２、１０４の中心点は、マグネットロックの円形マグネット４４、４６，４８、５０の中心点よりも対称軸５４から垂直オフセット１２５によって遠くなっている。水平方向の力は、ロック解除位置にある場合であっても円形マグネット４４、４６、４８、５０に作用するので、水平オフセットは、キャッチを確実に開けるので信頼性が高い。垂直オフセットによって、垂直方向の力も、対称軸５２と平行して、ロック装置の円形マグネットに作用する。この垂直方向の力は、垂直にマグネットキャッチ３６、３８をセンタリングするのに役立ち、これによって、ロックプレート５５が傾くのを防止する。
【００７４】
図２３は、平面図において２枚の同一構造のロックプレート５３、５５のうちの１枚を示す。ロックプレート５３、５４の輪郭は、外側が半円にされている。外側の半円の中央にマイクロバール（microbar）１２７がある。このマイクロバール１２７は、鋼板の切断において最初から終わりまでレーザーカットする間に生じる。それは、キャッチ３６、３８に関連付けされたロックプレート５３、５５に嵌合するために用いることができる。図２４は、Ａ−Ａ矢視断面に沿った図２３におけるロックプレート５３の断面図を示す。マイクロバール１２７は、側面視することができる。
【００７５】
図２５および図２６は、マグネットロック用の最上部２５”の他の実施例を示す。４つの凹部１２８は、最上第２５”にあり、高い十字形１２９を残している。関連するマグネットキー（図示しない）の底面に、最上部２５”の凹部１２８に適合する十字形の棒がある。これは、マグネットロックを最上部２５”に確実配置することを可能にする。図２５および図２６の実施例において、マグネットの正しい位置決めが、マグネットキーの配列によって確実にされることができるので、マグネットロックのキャッチおよびマグネットは自由に回転可能である必要はない。
【００７６】
図２７および図２８は、マグネットロック２０用のマグネットキー９０’の他の実施例を示す。マグネットキーのマグネット９９’、１００’、１０２’、１０４’は、回転ディスクに回転可能に配置される。これは、図２８に示すことができる。対照的に、マグネットロックのキャッチの位置は、例えば図１ないし図５および図１６ないし図１８において示されるガイドバー２７によって回転に対して固定される。
【００７７】
図２７は、マグネットキー９０’の外形を示す。マグネットキー９０’は、平坦な円形の底面１３０を有する細長い、滴のような形状を有する。３つのグリップ凹部１３１は、親指、人さし指および中指でマグネットキーを把握するために、この滴のような形状に設けられている。マグネットキーの底面上の底面１３０に、円形の突起１３２がある。円形の突起がマグネットロック２０の最上部２５に嵌合するように、円形の突起の半径は必要な大きさにされる。円形の突起１３２は、段部１３３を対称的に配置されている。段部１３３は、マグネットキーを容易に嵌合させることができ、同時にそれを視覚的に確認するのを容易にする。底面１３０の中央に、図２８に示される軸ボルト１３５を受けるための孔がある。
【００７８】
図２８は、図２７において、マグネットキーのさらなる詳細の横断面を示す。図２８に示すように、軸ボルト１３５は、段部１３６の形でカラーを有する。軸ボルト１３５と底面１３０との間に、マグネットロックのマグネット９８’、９９’、１００’、１０２’が嵌入される環状キャッチの形の回転ディスク１３７がある。回転ディスク１３７は、軸ボルト１３５の段部１３６によって下からの回転に対して保持されている。回転ディスク１３７が軸ボルト１３５に嵌入されている場合、マグネットキーのマグネット９９’、１００’、１０２’、１０４’は、マグネットロック２０’のマグネットに対して単独で整列配置することができる。
【００７９】
図２９は、図２８におけるＨ−Ｈ矢視断面に沿ったマグネットキーの横断面を示す。突起１３２の段部１３３は、横断面に示すことができる。図３０は、他のマグネットロックの最上部２５のバリエーションの模式的な横断面を示す。最上部２５は、図２７のマグネットキーの段部１３３と嵌合する切り取り２１０を含む。これは、マグネットキーが嵌合するのを確実にする。
【００８０】
図３１は、他のマグネットロックの最上部２５において侵食された構造体２１３の平面図を示す。マグネットロックの上部側に、２つの磨かれた面２１１、２１２がある。この磨かれた面２１１は平行であり、対称軸５２から横にオフセットされている。磨かれた面２１２は、それに垂直な対称軸５４と対称的である。商品名は、磨かれた面２１２に記帳される。商品名は容易に上から見えて、凹部２１２によって保護されている。以下に、マグネットキーの機能は、用途に応じてマグネットロックを開くための使用に従って説明する。さまざまな変形例が、用途に応じてある。第１変形例によれば、ロックマグネットは、図１ないし図５および図１８ないし図２０で示すガイド装置に導入ことができ、図６および図７に示すように、キーマグネットは、ロック装置において固定配置される。第２変形例によれば、マグネットキャッチ３６、３８は、図９ないし図１７に示されるように、自由に回転可能に配備され、キーマグネットは、キーに固定配備されている。第３変形例によれば、ロックマグネットは、ガイド装置によって導くことができ、キーマグネットは、図２７および図２８に示すように、回転ディスク上に配置することができる。ロックマグネットに応じたキーマグネットのオフセット１２５、２１７に関して、図２１および図２２における説明は、すべての変形例に適用することができる。
【００８１】
機能しているマグネットキーの中で、第１変形例におけるマグネットキーの機能は、図８に関する上記に説明されている。正しい適切な位置は、力の効果を被ることによって、または、マーキングで位置合わせすることによって見つかる。これらの２つオプション、または、マーキングの変形例に加えて、図２７ないし図３０のマグネットロックに関して説明されるように、マグネットキーとマグネットロック間のキーに適用することも可能である。これは、正しい適切な位置を決める。
【００８２】
図２７ないし図２９において、マグネットキーを適用した場合、マグネットキー９０’の段部１３３は、マグネットロック２０の最上部２５の凹部２１０に挿入される。キーマグネット９９’、１００’、１０２’、１０４’とロックマグネット４４、４６、４８、５０間の磁力により、対向する極が互いに向かいあうように、キーマグネット９９’、１００’、１０２’、１０４’がロックマグネット４４、４６、４８、５０に対して整列配置するように、マグネットキー９０’の回転ディスク１３７は回転する。さらに、図８に記載されているように、ロックマグネット４４、４６、４８、５０は、ロック位置にあるキーマグネット９９’、１００’、１０２’、１０４’によって引き込まれる。
【００８３】
図９ないし図１７におけるマグネットキーが、マグネットロックに配置されるとき、対極が互いに向かい合うように、ロックマグネット４４、４６、４８、５０は、キーマグネット９９、１００、１０２、１０４に対して自由に回転可能な方法で配置されるマグネットキャッチ３６、３８を位置合わせする。さらに、図８に記載されているように、ロックマグネット４４、４６、４８、５０は、ロック位置にキーマグネット９９’、１００’、１０２’、１０４’によって引き込まれる。ロックマグネット４４、４６、４８、５０とキーマグネット９９’、１００’、１０２’、１０４’の間に作用している引力が、位置合わせされたロックマグネット４４、４６、４８、５０の間に作用している引力よりわずかに大きいので、この現象が生じる。
【００８４】
マグネットキーまたはそれぞれ対応する外部磁力がない場合、マグネットキャッチ３６、３８は、ロック位置に単独でそれ自身を引き込まれるよう、キーマグネット４４、４６、４８、５０の磁力が結合する。さらに、ロック位置にマグネットキャッチを移動させるか、あるいは、それらをロック位置に維持するＥＰ１３５５５５０のように、ばね機構（図示しない）は、例えば、うず巻圧縮スプリング、引張ばね、板ばね、エラストマブロックまたはゴムリングを備えることもできる。それから、キーマグネットは、キーマグネットの引力およびばね機構の反対力を克服するために必要な大きさにされなければならない。
【符号の説明】
【００８５】
２０  マグネットロック
２２  ピン
２４  ハウジング
２５  最上部
２６  開口
２７  ガイドバー
２８  ピンヘッド
３０  ピンの長手軸
３２  底部
３３  突起
３４  円錐凹部
３５  先端溝
３６  左側のマグネットキャッチ
３８  右側のマグネットキャッチ
３９  バンデージストラップ
４０  ガイドカラー
４１  鳩目
４２  外周ピン溝
４３  力の流れ
４４  左側の上部ロックマグネット
４６  左側の下部ロックマグネット
４８  右側の上部ロックマグネット
５０  右側の下部ロックマグネット
５２  垂直軸
５３  左側のロックプレート
５４  水平軸
５５  右側のロックプレート
５６  左側のマグネットキャッチの外縁
５８  上側の右側マグネットキャッチの左直線端
６０  下側の左側マグネットキャッチの左直線端
６２  マグネットキャッチの左側の半円形エッジ
６３  マグネットプレートの左側の半円形エッジ
６４  右側のマグネットキャッチの外縁
６６  上側の右側マグネットキャッチの右直線端
６８  下側の右側マグネットキャッチの右直線端
７０  右側のマグネットキャッチの半円形エッジ
７１  マグネットプレートの右側の半円形エッジ
７２  マグネットロックの上マーキング
７４  マグネットロックの左マーキング
７６  マグネットロックの下マーキング
７８  マグネットロックの右マーキング
８０  ピンシャフト
８２  ピンフット
８４  マグネット
９０  マグネットキー
９２  本体
９４  係合外郭
９６  底面
９８  マグネットキーのエッジ
９９  左側の上部キーマグネット
１００  左側の下部キーマグネット
１０２  右側の下部キーマグネット
１０４  右側の上部キーマグネット
１０６  マグネットキーの上マーキング
１０８  マグネットキーの左マーキング
１１０  マグネットキーの下マーキング
１１２  マグネットキーの右マーキング
１１５  十角形部分
１１６  十角形の開口
１１７  円筒断面
１１８  円柱部分
１１９  間隙
１２１  キャッチの外形
１２２  高い部分
１２４  最小距離
１２５  安全距離
１２７  マイクロバール
１２８  凹部
１２９  高い部分
１３０  底面
１３１  溝加工されたグリップ
１３２  突起
１３３  突起の段部
１３４  孔
１３５  軸ボルト
１３６  カラー
１３７  回転ディスク
１３８  通し孔
１５０  外郭
２００  間隙
２０１  平面
２０２  外周凹部
２０３  壁
２０４  上部平面
２０５  内壁
２０６  円柱表面
２０７  上部平面
２０８  外形
２０９  面取り部
２１０  半径
２１１  溝のような凹部
２１２  溝のような凹部
２１３  頂片
２１５  ロック位置
２１６  ロック解除位置
２１７  垂直オフセット
【図１】
0005844731.tif 000002
【図２】
0005844731.tif 000003
【図３】
0005844731.tif 000004
【図４】
0005844731.tif 000005
【図５】
0005844731.tif 000006
【図６】
0005844731.tif 000007
【図７】
0005844731.tif 000008
【図８】
0005844731.tif 000009
【図９】
0005844731.tif 000010
【図１０】
0005844731.tif 000011
【図１１】
0005844731.tif 000012
【図１２】
0005844731.tif 000013
【図１３】
0005844731.tif 000014
【図１４】
0005844731.tif 000015
【図１５】
0005844731.tif 000016
【図１６】
0005844731.tif 000017
【図１７】
0005844731.tif 000018
【図１８】
0005844731.tif 000019
【図１９】
0005844731.tif 000020
【図２０】
0005844731.tif 000021
【図２１】
0005844731.tif 000022
【図２２】
0005844731.tif 000023
【図２３】
0005844731.tif 000024
【図２４】
0005844731.tif 000025
【図２５】
0005844731.tif 000026
【図２６】
0005844731.tif 000027
【図２７】
0005844731.tif 000028
【図２８】
0005844731.tif 000029
【図２９】
0005844731.tif 000030
【図３０】
0005844731.tif 000031
【図３１】
0005844731.tif 000032